(57)【要約】【目的】  柔軟性、軽量性、加工性、緩衝性をもつ様々な素材で額装するという過去に存在しなかった独創的かつ新規的特長を有すると同時に、優れた実用性、機能性、機動性、意匠性、コスト性、量産性、教材性、アート性、自由性等の特性を備えた斬新な額縁（仮縁）を提供する。【構成】  適度な柔軟性及び軽量性を有する多種多様な素材を用い、額縁状あるいは板状等、様々な形態に加工し、片面に両面テープ等の接着剤を貼付した態様を全体の特徴とする。【選択図】図１
2011101783.tif 000002
【特許請求の範囲】
【請求項１】
適度な柔軟性及び強度、形状保持性を有する様々な軽量素材（ゴム、プラスチック、ウレタン、シリコン、紙、コルク等）を額縁様形態に加工した額縁（仮縁）。
【請求項２】
請求項１の素材を、板状あるいはテープ状に加工した態様に両面テープ、接着剤等を貼付し、カッターやハサミ等で任意の長さに切断し、キャンバス、変形キャンバス、パネル、変形パネル等に貼り付けるだけで額装することを可能にした額縁（仮縁）。
【請求項３】
請求項１、請求項２の額縁（仮縁）の表面や素材に、様々な色彩や模様、彫刻等の装飾・デザインを施す、あるいは後から施せるようにした態様。
【発明の詳細な説明】
【発明の詳細な説明】
【技術分野】
【０００１】  本発明は、柔軟軽量素材の額縁（仮縁）に関するものである。
【背景技術】
【０００２】  従来、額縁（仮縁）は木製あるいは金属製の重厚な作りのため、評価の定まった近代美術絵画等には最適と思われるが、大幅な自由性を持つ現代美術、学校の授業等における比較的小さめの生徒作品の仮設展示、展覧会等の搬入・搬出時等、木製や金属製の額縁は高価な上に重く嵩張り、他の絵画や作品、人、壁などに傷を付けやすく、終了後の保管等にも難があった。また、木材や金属製の仮縁をキャンバスやパネルに取り付ける際、木ネジや釘等を用いなければならず、大変な手間と労力が要求された。さらに、あらかじめ色彩や彫刻が施されているため、自由なイメージによる選択あるいは加工が困難であり、画一的な意匠の物が多くデザイン性や遊び感覚に欠けていた。
【発明が解決しようとしている課題】
【０００３】本発明は、これらの欠点及び問題を解決するため、請求項１，請求項２，請求項３に記した額縁（仮縁）を提供することを目的とした発明である。
【課題を解決するための手段】
【０００４】  そこで、本発明はポリウレタンやプラスチック、紙、発泡ゴム、コルク等の軽く、柔軟かつ加工し易い安価な素材を用いることで、経済的で使い勝手を良くした。恒久的な額縁としては勿論、仮縁、使い捨て額縁としての性格も併せ持つ。また、形状や色彩等も自由に加工できるため、作品に合った様々なバリエーションを楽しむことができる。Ｆ号やＢサイズといった規格に合わせてはめ込むことは勿論、カッター等で自由な長さに切断し、キャンバスや木製パネルの側面に貼るだけのため、誰にでも簡単に額装することができるよう工夫した斬新かつ新規的特長を有するものである。
【発明を実施するための形態】
【０００５】  請求項１の額縁（仮縁）を、任意の号数のキャンバスあるいはパネル等にはめ込むだけで、適度な柔軟性を帯びた素材の持つ収縮でそのまま密着、固定し、額装される。または、請求項２の額縁（仮額）を任意の大きさのキャンバスやパネル等の縁、即ち周囲の側面に貼り付けることで額装する。
【発明の効果】
【０００６】  本発明は次のような効果をもたらすものである。
１）  過去に存在しなかった全く新しい発想による独創的かつ斬新な額縁、仮額、フレームを提供する。
２）  額装工程が単純化され、優れた意匠的特長を活かしつつ、シンプルな構造及び低コストによる量産化を実現する。
３）  量産可能で機能性・機動性に優れ、額縁それ自体にアート、デザイン、工芸作品的価値、教材的性格も内包する。
４）  廉価で様々な特性をもつ多種多様な素材を用いることができるため、形状的、色彩的、触覚的、価格的、意匠的差別化等が容易である。
５）  柔軟かつ軽量であるため、人物や他の作品、壁、家具等に傷を付けることなく、額縁自体が衝撃緩衝材となり作品を保護する。
６）  使い切り額縁として使用することができ、廃棄する場合も簡単である。
【図面の簡単な説明】
【図１】  本発明の正面図である（請求項１の例）。
【図２】  本発明の正面図である（請求項２の例）。
【図３】  本発明の正面図である（請求項３の例）。
【図４】  本発明の実施態様例である。
【符号の説明】１  本体
２  両面テープ（接着剤）
３  キャンバス（パネル）
【図１】
2011101783.tif 000003
【図２】
2011101783.tif 000004
【図３】
2011101783.tif 000005
【図４】
2011101783.tif 000006
【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
適度な柔軟性及び強度、形状保持性を有する様々な軽量素材（ゴム、プラスチック、ウレタン、シリコン、紙、コルク等）を額縁様形態に加工した額縁（仮縁、フレーム）。
【請求項２】
請求項１の素材を、板状あるいはテープ状に加工した態様に両面テープ、接着剤等を貼付し、カッターやハサミ等で任意の長さに切断し、キャンバス、変形キャンバス、パネル、変形パネル等に貼り付けるだけで額装することを可能にした額縁（仮縁、フレーム）。
【請求項３】
請求項１、請求項２の額縁（仮縁、フレーム）の表面や素材に、様々な色彩や模様、彫刻等の装飾・デザインを施す、あるいは後から施せるようにした態様。
【請求項４】
請求項１、請求項２、請求項３の額縁（仮縁、フレーム）を中空のパイプ様形状（円柱、角柱、三角柱状等）に加工し、張りキャンバスやパネル状板材の外周（縁）を覆うようにはめ込むよう工夫した態様。
【手続補正２】
【補正対象書類名】明細書
【補正対象項目名】全文
【補正方法】変更
【補正の内容】
【発明の詳細な説明】
【技術分野】
【０００１】  本発明は、柔軟軽量素材の額縁（仮縁、フレーム）に関するものである。
【背景技術】
【０００２】  従来、額縁（仮縁）は木製あるいは金属製の重厚な作りのため、評価の定まった近代美術絵画等には最適と思われるが、大幅な自由性を持つ現代美術や学校の授業等における比較的小さめの生徒作品の仮設展示、展覧会等の搬入・搬出時等、木製や金属製の額縁は高価な上に重く嵩張り、他の絵画や作品、人、壁などに傷を付けやすく、終了後の保管等にも難があった。また、木材や金属製の仮縁をキャンバスやパネルに取り付ける際、木ネジや釘等を用いなければならず、大変な手間と労力が要求された。さらに、あらかじめ色彩や彫刻が施されているため、自由なイメージによる選択あるいは加工が困難であり、画一的な意匠の物が多くデザイン性や創造性、遊び感覚に欠けていた。
【発明が解決しようとしている課題】
【０００３】  本発明は、これらの欠点及び問題を解決するため、請求項１，請求項２，請求項３、請求項４に記した斬新な額縁（仮縁、フレーム）を提供することを目的とした発明である。
【課題を解決するための手段】
【０００４】  そこで、本発明はポリウレタンやプラスチック、シリコン、紙、発泡ゴム、コルク等の軽く適度な強度を持つ素材を用いる。柔軟かつ加工し易い安価な素材を用いることで、経済性に優れ使い勝手を良くした。恒久的な額縁、フレームとしては勿論、仮縁、使い切り額縁としての性格も併せ持つ。また、形状や色彩等も自由に加工できるため、作品に合った様々なバリエーションを楽しむことができる。Ｆ号やＢサイズといった規格に合わせて取り付けることは勿論、カッター等で自由な長さに切断し、キャンバスやパネル等の側面に貼る、またははめ込むだけのため、誰にでも簡単に額装することができるよう工夫した斬新かつ新規的特長を有するものである。
【発明を実施するための形態】
【０００５】  請求項１、請求項４の額縁（仮縁、フレーム）を、任意の号数のキャンバスあるいはパネル等にはめ込むだけで、適度な柔軟性を帯びた素材の持つ収縮でそのまま密着、固定、カバーされ額装される。または、請求項２の額縁（仮額、フレーム）を任意の大きさのキャンバスやパネル等の縁、即ち周囲の側面に貼り付けることで額装する。
【発明の効果】
【０００６】本発明は次のような効果をもたらすものである。
１）  過去に存在しなかった全く新しい発想による独創的かつ斬新な額縁（仮額、フレーム）を提供する。
２）  額装工程が単純化され、優れた意匠的特長を活かしつつ、シンプルな構造及び低コストによる量産化を実現する。
３）  量産可能で機能性・機動性に優れ、額縁それ自体にアート、デザイン、工芸作品的価値、教材的性格も内包する。
４）  廉価で様々な特性をもつ多種多様な素材を用いることができるため、形状的、色彩的、触覚的、価格的、意匠的差別化等が容易である。
５）  柔軟かつ軽量であるため、人物や他の作品、壁、家具等に傷を付けることなく、額縁自体が衝撃緩衝材となり作品を保護する。
６）  使い切り額縁として使用することができ、廃棄する場合も簡単である。
【図面の簡単な説明】
【０００７】
【図１】  本発明の正面図である（請求項１の例）。
【図２】  本発明の正面図である（請求項２の例）。
【図３】  本発明の正面図である（請求項３の例）。
【図４】  本発明の実施態様例である。
【図５】  本発明、請求項４の斜視図である。
【図６】  本発明、請求項４の断面図である。
【符号の説明】１  本体
２  両面テープ（接着剤等）
３  キャンバス（パネル等）
【手続補正３】
【補正対象書類名】図面
【補正対象項目名】図５
【補正方法】追加
【補正の内容】
【図５】
2011101783.tif 000007
【手続補正４】
【補正対象書類名】図面
【補正対象項目名】図６
【補正方法】追加
【補正の内容】
【図６】
2011101783.tif 000008